(57)【特許請求の範囲】
【請求項１】
洗濯兼脱水槽を収容した洗濯機本体と、前記洗濯機本体に形成した洗濯物投入口を開閉自在に覆う蓋装置とを備え、前記蓋装置は、蓋本体部品と、前記蓋本体部品を覆い、外周に延びた側壁を有する蓋カザリ部品とからなり、前記蓋本体部品と前記蓋カザリ部品とは、少なくとも１つの前記蓋本体部品の側壁が、前記蓋カザリ部品の側壁の内側に近接して位置するように構成され、前記蓋カザリ部品には、固定リブが形成され、前記固定リブには、凹部または貫通孔からなる係合孔を設け、前記蓋本体部品には、前記係合孔に係合する爪部を形成すると共に、前記爪部から離間した位置に、前記爪部に係合した前記固定リブに当接、または近接して固定リブの変形を阻止する阻止リブを設けたことを特徴とする洗濯機。
【請求項２】
洗濯兼脱水槽を収容した洗濯機本体と、前記洗濯機本体に形成した洗濯物投入口を開閉自在に覆う蓋装置とを備え、前記蓋装置は、蓋本体部品と、前記蓋本体部品を覆い、外周に延びた側壁を有する蓋カザリ部品とからなり、前記蓋本体部品と前記蓋カザリ部品とは、少なくとも１つの前記蓋本体部品の側壁が、前記蓋カザリ部品の側壁の内側に近接して位置するように構成され、前記蓋カザリ部品には、爪部と、爪部に近接する位置に固定部を形成し、前記固定部は、前記蓋カザリ部品の側壁から側壁と略垂直方向に延設されるベース部と、前記ベース部から前記側壁と離間する位置に前記側壁と略平行に形成されるフック部とを有し、前記蓋本体部品の側壁には、前記蓋カザリ部品の前記爪部が係合する係合孔と、前記フック部が係合する係合部を形成することを特徴とする洗濯機。
【請求項３】
前記係合部は、相対向して形成した一対のリブと、前記リブ間の側壁に形成した切欠部と、前記リブ間に形成され、一方の前記リブとの間に前記フック部が挿入される間隙を形成する支持部とを有する請求項２に記載の洗濯機。
【発明の詳細な説明】
【技術分野】
【０００１】
本発明は、回転ドラム内で洗濯、すすぎ、脱水などの各行程を逐次制御する洗濯機に関するものである。
【背景技術】
【０００２】
従来、この種洗濯機は、洗濯機本体内に洗濯兼脱水槽を収容し、洗濯機本体に、洗濯兼脱水槽内に洗濯物を出し入れするための洗濯物投入口を形成し、洗濯物投入口を蓋装置により開閉自在に覆う構成となっている。
【０００３】
蓋装置は、蓋本体部品と蓋カザリ部品とから構成し、蓋本体部品と蓋カザリ部品とは、それぞれに形成した係止爪と係合孔を係合することにより一体化している（例えば、特許文献１参照）。
【先行技術文献】
【特許文献】
【０００４】
【特許文献１】特開平８-１２６７９２号公報
【発明の概要】
【発明が解決しようとする課題】
【０００５】
しかしながら、従来の蓋装置は、蓋本体部品と蓋カザリ部品とを、係止爪と係合孔の係合により一体化しているだけなので、蓋本体部品と蓋カザリ部品との間に隙間が生じる場合があった。
【０００６】
本発明は、前記従来の課題を解決するもので、蓋装置を構成する部品間の隙間の発生を抑制し得る洗濯機を提供することを課題とする。
【課題を解決するための手段】
【０００７】
上記目的を達成するために、本発明の洗濯機は、洗濯兼脱水槽を収容した洗濯機本体と、前記洗濯機本体に形成した洗濯物投入口を開閉自在に覆う蓋装置とを備え、前記蓋装置は、蓋本体部品と、前記蓋本体部品を覆い、外周に延びた側壁を有する蓋カザリ部品とからなり、前記蓋本体部品と前記蓋カザリ部品とは、少なくとも１つの前記蓋本体部品の側壁が、前記蓋カザリ部品の側壁の内側に近接して位置するように構成され、前記蓋本体部品の側壁外面と前記蓋カザリ部品の側壁内面には、前記蓋本体部品と前記蓋カザリ部品とを固定する固定構造を設けたものである。
【発明の効果】
【０００８】
本発明の洗濯機は、蓋装置を構成する部品間の隙間の発生を抑制することができる。
【図面の簡単な説明】
【０００９】
【図１】本発明の第１の実施形態における洗濯機の縦断面図
【図２】同蓋装置の平面図
【図３】同蓋装置の側面図
【図４】同蓋装置の図２におけるＡ−Ａ断面図
【図５】同蓋装置の図２におけるＢ−Ｂ断面図
【図６】同蓋装置の図２におけるＣ−Ｃ断面図
【図７】同蓋装置の第１固定構造を示す斜視図
【図８】同蓋装置の図２におけるＤ−Ｄ断面図
【図９】同蓋装置の第１固定リブを示す斜視図
【図１０】同蓋装置の第１係合爪と阻止リブを示す斜視図
【図１１】同蓋装置の第２固定構造を示す斜視図
【図１２】同蓋装置の図２におけるＥ−Ｅ断面図
【図１３】同蓋装置の第２係合爪と第２固定リブを示す斜視図
【図１４】同蓋装置の第２係合孔と係合部を示す斜視図
【発明を実施するための形態】
【００１０】
第１の発明は、洗濯兼脱水槽を収容した洗濯機本体と、前記洗濯機本体に形成した洗濯物投入口を開閉自在に覆う蓋装置とを備え、前記蓋装置は、蓋本体部品と、前記蓋本体部品を覆い、外周に延びた側壁を有する蓋カザリ部品とからなり、前記蓋本体部品と前記蓋カザリ部品とは、少なくとも１つの前記蓋本体部品の側壁が、前記蓋カザリ部品の側壁の内側に近接して位置するように構成され、前記蓋本体部品の側壁外面と前記蓋カザリ部品の側壁内面には、前記蓋本体部品と前記蓋カザリ部品とを固定する固定構造を設けたものである。
【００１１】
この構成により、蓋装置の部品同士を固定する固定構造を見えない構造にすることによって外観性を高め、隙間を小さくして、蓋の開閉時の衝撃で発生する音を小さくすることができる。
【００１２】
第２の発明は、特に第１の発明において、前記蓋本体部品の側壁外面には、固定構造である凹部又は貫通孔を設け、前記蓋カザリ部品の側壁内面には、前記凹部又は貫通孔に引っ掛かる爪部を設けるとともに、前記爪部の近傍には、前記側壁内面から内側に延設されたベース部から延びたフック部を設け、前記フック部は、前記蓋本体部品の側壁の内側に位置するように構成したものである。
【００１３】
この構成により、蓋装置の部品同士を固定する固定構造を見えない構造にすることによって外観性を高めることができる。
【００１４】
第３の発明は、特に第２の発明において、前記フック部と前記蓋カザリ部品の側壁内面との間隔は、前記爪部の高さと蓋本体部品の側壁の厚さとの和より小さく設定したものである。
【００１５】
この構成により、蓋装置の部品同士の隙間を小さくすることができる。
【００１６】
第４の発明は、特に第２または第３の発明において、前記フック部の根元部分には、フック部とベースと前記蓋カザリ部品の側壁内面とを接続する補強リブを設けたものである。
【００１７】
この構成により、蓋装置の部品同士を強固に固定することができる。
【００１８】
第５の発明は、特に第４の発明において、前記ベースおよび前記補強リブは、前記蓋カザリ部品の側壁内面との接続部分は、表面にヒケが発生しない程度に薄くするように構成したものである。
【００１９】
この構成により、蓋装置の外観性を向上できる。
【００２０】
第６の発明は、特に第１〜４のいずれかの発明において、前記蓋本体部品の前部で軸支され外周に延びた側壁を有する蓋持ち手部品と、前記蓋持ち手部品を覆い外周に延びた側壁を有する蓋持ち手部カザリ部品とをさらに有し、前記蓋持ち手部品と前記蓋持ち手部カ
ザリ部品とは、少なくとも１つの前記蓋持ち手部品の側壁が、前記蓋持ち手部カザリ部品の側壁の内側に近接して位置するように構成され、前記蓋持ち手部品の側壁外面と前記蓋持ち手部カザリ部品の側壁内面には、前記蓋持ち手部品と前記蓋持ち手部カザリ部品とを固定する固定構造を設けたものである。
【００２１】
この構成により、蓋装置の部品同士を固定する固定構造を見えない構造にすることによって外観性を高めることができる。
【００２２】
第７の発明は、特に第１の発明において、前記蓋持ち手部品の側壁外面には、固定構造である凹部又は貫通孔を設け、前記蓋持ち手カザリ部品の側壁内面には、前記凹部又は貫通孔に引っ掛かる爪部を設けるとともに、前記爪部の近傍には、前記側壁内面から内側に延設されたベース部から延びたフック部を設け、前記フック部は、前記蓋持ち手部品の側壁の内側に位置するように構成したものである。
【００２３】
この構成により、蓋装置の部品同士を固定する固定構造を見えない構造にすることによって外観性を高めることができる。
【００２４】
第８の発明は、特に第７の発明において、前記フック部と前記蓋持ち手カザリ部品の側壁内面との間隔は、前記爪部の高さと蓋本体部品の側壁の厚さとの和より小さく設定したものである。
【００２５】
この構成により、蓋装置の部品同士の隙間を小さくすることができる。
【００２６】
第９の発明は、特に第７または８の発明において、前記フック部の根元部分には、フック部とベースと前記蓋持ち手カザリ部品の側壁内面とを接続する補強リブを設けたものである。
【００２７】
この構成により、蓋装置の部品同士を強固に固定することができる。
【００２８】
第１０の発明は、特に第９の発明において、前記ベースおよび前記補強リブは、前記蓋持ち手カザリ部品の側壁内面との接続部分は、表面にヒケが発生しない程度に薄くするように構成したものである。
【００２９】
この構成により、蓋装置の外観性を向上できる。
【００３０】
以下、本発明の実施の形態について、図１〜図１４を参照しながら説明する。なお、この実施の形態によって本発明が限定されるものではない。
【００３１】
図１は、本発明の第１の実施の形態における洗濯機の縦断面図で、洗濯機の全体構造を示す。
【００３２】
図１に示すように、洗濯機本体１は、内部に弾性体７を介して水槽３を弾性支持している。水槽３内には、洗濯兼脱水槽２を回転自在に配設している。洗濯兼脱水槽２の内底面には、パルセータ４が回転自在に配設されている。洗濯兼脱水槽２及びパルセータ４は、駆動手段として用いるモータ５の駆動力をベルト６を介して伝達し、選択的に回転駆動させる。
【００３３】
洗濯機本体１の上部には、洗濯兼脱水槽２内に洗濯物を出し入れするための洗濯物投入口８を形成しており、洗濯物投入口８は、蓋装置９により開閉自在に覆っている。
【００３４】
蓋装置９は、前蓋部１０と後蓋部１１とから構成されており、後蓋部１１の後部は、洗濯機本体１上部に回動自在に支持され、前蓋部１０の後部が後蓋部１１の前部に回動自在に支持されている。前蓋部１０には、上面に取っ手部１２が設けられ、取っ手部１２に手を掛けて蓋装置９を回動して洗濯物投入口８を開放するよう構成している。
【００３５】
図４から図６に示すように、後蓋部１１は、蓋本体部品１３と、蓋本体部品１３を上方から覆う蓋カザリ部品１４と、中央部分に配設される透明な樹脂材料からなる窓部１５とから構成されており、窓部１５を介して洗濯兼脱水槽２内の洗濯物の状態を確認することが可能になっている。蓋本体部品１３と蓋カザリ部品１４とは、第１固定構造１６と、第２固定構造１７とにより固定している。
【００３６】
前蓋部１０は、後蓋部１１と同様に、蓋持ち手部品１０Ａと、蓋持ち手部品１０Ａを上方から覆う蓋持ち手部カザリ部品１０Ｂとから構成し、蓋持ち手部品１０Ａと蓋持ち手部カザリ部品１０Ｂとは、後蓋部１１と同様に、第１固定構造１６と、第２固定構造１７とにより固定している。
【００３７】
図７から図１０に基づいて、第１固定構造１６を説明する。図７は、第１固定構造１６の固定状態を説明する斜視図、図８は、第１固定構造１６の固定状態を説明する断面図、図９は、第１固定構造１６の第１固定リブ１８の斜視図、図１０は、第１固定構造１６の第１係合爪２１及び阻止リブ２２の斜視図である。
【００３８】
図７から図９に示すように、蓋カザリ部品１４には、上面から第１固定リブ１８が垂下形成され、第１固定リブ１８には、第１係合孔１９が形成されている。本実施の形態では、第１係合孔１９は、貫通孔により形成しているが、凹部により形成してもよい。第１固定リブ１８の蓋カザリ部品１４との接続部には、補強リブ２０が形成されている。
【００３９】
図７、図８及び図１０に示すように、蓋本体部品１３には、第１係合孔１９に係合する爪部である第１係合爪２１が形成され、第１係合爪２１から図中左右方向に少許離間した位置に一対の阻止リブ２２が形成されており、阻止リブ２２は、第１係合爪２１に第１係合孔１９が係合した第１固定リブ１８に当接、または近接し、第１固定リブ１８が変形して第１係合孔１９から第１係合爪２１が外れるのを阻止している。
【００４０】
図１１から図１４に基づいて、第２固定構造１７を説明する。図１１は、第２固定構造１７の固定状態を説明する斜視図、図１２は、第２固定構造１７の固定状態を説明する断面図、図１３は、第２固定構造１７の第２係合爪２５と固定部２６を示す斜視図、図１４は、第２固定構造１７の第２係合孔３０とリブ３２を示す斜視図である。
【００４１】
図４から図６に示すように、蓋カザリ部品１４の側壁２３は、蓋本体部品１３の側壁２４の外側を覆うよう構成し、蓋カザリ部品１４の側壁２３には、爪部である第２係合爪２５と、第２係合爪２５に近接する位置に固定部２６を形成している。固定部２６は、蓋カザリ部品１４の側壁２３から側壁２３と略垂直方向に延設されるベース部２７と、ベース部２７から側壁２３と離間する位置に側壁２３と略平行に下方に向かって形成されるフック部２８と、フック部２８とベース部２７と側壁２３とを接続する補強リブ２９とを有している。
【００４２】
蓋本体部品１３の側壁２４には、蓋カザリ部品１４の第２係合爪２５が係合する第２係合孔３０と、フック部２８が係合する係合部３１を形成している。係合部３１は、相対向して形成した一対のリブ３２と、リブ３２間の側壁２４に形成した切欠部３３と、一方のリブ３２から他方のリブ３２に向けて形成され、他方のリブ３２との間にフック部２８が挿入される間隙３４を形成する支持部３５とを有している。
【００４３】
以上のように構成した洗濯機において、蓋装置９の組み立てについて以下に説明する。
【００４４】
第１固定構造１６は、蓋カザリ部品１４に形成した第１固定リブ１８を蓋本体部品１３の第１係合爪２１と阻止リブ２２との間に挿入し、第１固定リブ１８の第１係合孔１９に第１係合爪２１を係合させる。この状態では、阻止リブ２２が第１固定リブ１８に当接、もしくは、近接して対向するので、蓋本体部品１３及び蓋カザリ部品１４に外力加わっても第１固定リブ１８の第１係合孔１９と第１係合爪２１の係合が外れることはない。蓋カザリ部品１４の側壁内面と第１固定リブ１８との間隔は、第１係合爪２１の高さと蓋本体部品１３の厚みとの和よりも小さく設定しているので、蓋カザリ部品１４と蓋本体部品１３との間に隙間が生じるのを抑制できる。
【００４５】
また、第２固定構造１７は、蓋カザリ部品１４の側壁２３に形成した第２係合爪２５が蓋本体部品１３の側壁２４に形成した第２係合孔３０に係合する。さらに、フック部２８がリブ３２と支持部３５との間に形成される間隙３４に挿入され、ベース部２７が切欠部３３に挿入される。フック部２８が間隙３４に挿入され、側壁２４に係止されるので、蓋カザリ部品１４の側壁２３と蓋本体部品１３の側壁２４との隙間が広がるのを抑制できる。ベース部２７が切欠部３３に挿入されるので、蓋カザリ部品１４と蓋本体部品１３との位置ずれを防止できる。
【００４６】
第１固定リブ１８は、蓋カザリ部品１４の外観面に対してヒケを発生させないように、図３に示すように外観面の近傍は薄くなるように構成している。
【産業上の利用可能性】
【００４７】
以上のように、本発明にかかる洗濯機は、蓋装置を構成する部品間の隙間の発生を抑制することができるので、ドラム式や他の洗濯機の用途に適用できる。
【符号の説明】
【００４８】
１  洗濯機本体
２  洗濯兼脱水槽
３  水槽
８  洗濯物投入口
９  蓋装置
１０  前蓋部
１１  後蓋部
１３  蓋本体部品
１４  蓋カザリ部品
１６  第１固定構造
１７  第２固定構造
１８  第１固定リブ
１９  第１係合孔
２０  補強リブ
２１  第１係合爪
２２  阻止リブ
２３  側壁
２４  側壁
２５  第２係合爪
２６  固定部
２７  ベース部
２８  フック部
２９  補強リブ
３０  第２係合孔
３１  係合部
３２  リブ
３３  切欠部
３４  間隙
３５  支持部
【図１】
0006283821.tif 000002
【図２】
0006283821.tif 000003
【図３】
0006283821.tif 000004
【図４】
0006283821.tif 000005
【図５】
0006283821.tif 000006
【図６】
0006283821.tif 000007
【図７】
0006283821.tif 000008
【図８】
0006283821.tif 000009
【図９】
0006283821.tif 000010
【図１０】
0006283821.tif 000011
【図１１】
0006283821.tif 000012
【図１２】
0006283821.tif 000013
【図１３】
0006283821.tif 000014
【図１４】
0006283821.tif 000015